(57)【要約】【目的】  本発明は、キャビネット本体内に配設された複数段の引出しの一つを引出すと他の引出しの引き出しを不能にするインターロック機能と全ての引出しを一度に施錠するオールロック機能とを有し、部品点数が少なく、静かに作動するインターロック・オールロック装置を提供する事を目的とする。【構成】  複数段の引出しを有するキャビネット本体に上下動可能に保持された縦杆と、各引出しに対応して縦杆に取付けられた押上げ部材と、押上げ部材の所定寸法下方で各引出しに対応してキャビネット本体の所定高さ位置に取付けられた回動ストッパー部材と、引出しに設けられ押上げ部材を上下動させるとともに回動ストッパー部材を回動させる作動ピンと、施錠時には縦杆を上昇させて押上げ部材のストッパー突部を作動ピンの前面に位置させ、解錠時にはストッパー突部を作動ピンの下方に位置させる錠前より構成されているものである。【選択図】  図５
2006097296.tif 000002
【特許請求の範囲】
【請求項１】
複数段の引出しを有するキャビネット本体に上下動可能に保持された縦杆と、各引出しに対応して縦杆の所定高さ位置に取付けられた押上げ部材と、押上げ部材の所定寸法下方で各引出しに対応してキャビネット本体の所定高さ位置に取付けられ、縦杆の上昇位置を支持する回動ストッパー部材と、引出しの前後移動によって、押上げ部材を上下動させるとともに回動ストッパー部材を回動させる引出しに設けられた作動ピンと、施錠時には縦杆を上昇させて、押上げ部材のストッパー突部を作動ピンの前面に位置させ、解錠時にはストッパー突部を作動ピンの移動進路の下方に位置させるキャビネット天板に前端面を臨ませた錠前より構成されていることを特徴とするインターロック・オールロック装置。
【請求項２】
押上げ部材は、後方に向かって上方に傾斜する後部案内端面と、前方に向かって上方に傾斜する前部案内端面と、後部案内端面と前部案内端面間に連設された水平端面を下端面に有し、各端面に作動ピンが接触することにより押上げ部材が上下動し、回動ストッパー部材は、前後に所定間隔を有して上方に突出する前回動用突条と後回動用突条と、前回動用突条と後回動用突条との間に形成された上端が開口する作動ピン挿通溝を有し、引出しの一つが引き出された状態で、引き出された引出しに対応する回動ストッパー部材の後回動用突条の上端後端面が、上昇した押上げ部材の前部水平壁の下面に当接し、押上げ部材の下降を阻止していることを特徴とする請求項１に記載のインターロック・オールロック装置。
【発明の詳細な説明】
【技術分野】
【０００１】
本発明は、キャビネット本体内に配設された複数段の引出しの一つを引き出すと、他の引出しの引出しを不能にするインターロック装置とキャビネット本体内に配設された複数段の引出しをすべて引き出し不能にするオールロック装置の機能を同時に有するインターロック・オールロック装置に関するものである。
【背景技術】
【０００２】
この種の装置としては、キャビネット本体に上下動可能な縦杆を設け、抽斗に対応する位置でキャビネット本体に縦杆押上部を有する回転部材を設け、抽斗の出入に応じて前記回転部材を回転させて縦杆を上下動させる作動片を抽斗に設け、さらに、縦杆の上昇状態で相対応するよう縦杆と各抽斗に開き止め用のストッパー機構を設けたインターロック装置と、さらに、縦杆が非施錠時における下端位置よりも、施錠操作をした時はさらに下方に移動し、縦杆に設けた鉤状施錠片が、抽斗に設けた係合孔に係着しオールロック装置としたものがある。（例えば、特許文献１参照。）
この場合、非施錠時、インターロック時、オールロック時の３段階において、縦杆は上下方向への移動距離が異なるので、それぞれの位置にインターロック用のストッパー機構、オールロック用の施錠片および係合孔を設けなければならず部材点数、加工口数が増加し高価になるだけでなく、各ロック装置のキャビネット本体に対する組み込みにも手数を必要としていた。
【０００３】
又、インターロック時、回転部材を回転させて縦杆押上部で縦杆を上下動させる構成であるため、縦杆押上部が最も上方に位置した状態で縦杆の最大上昇位置となり、この状態でインターロック状態（抽斗の一つが引き出された状態）となり、この時、縦杆の荷重は縦杆押上部に負荷された状態となっている。したがって、引き出された抽斗が収納される時、抽斗の作動片がある程度まで回転部材を回転させると、回転部材は作動片の動きに関係なく縦杆の荷重によって回転し、縦杆は急激に落下する（回転部材は急激に回転する）事となり、縦杆押上部が激しくキャビネット本体に衝突し、不快な衝突音を発生させると云う問題もあった。
【０００４】
【特許文献１】実公昭５８−１４２２０号公報
【発明の開示】
【発明が解決しようとする課題】
【０００５】
本発明は、部品点数が少なく、静かに作動するインターロック・オールロック装置を提供する事を課題とする。
【課題を解決するための手段】
【０００６】
そこで、上記課題を解決する為、本発明が第１の手段として構成したところは、複数段の引出しを有するキャビネット本体に上下動可能に保持された縦杆と、各引出しに対応して縦杆の所定高さ位置に取付けられた押上げ部材と、押上げ部材の所定寸法下方で各引出しに対応してキャビネット本体の所定高さ位置に取付けられ、縦杆の上昇位置を支持する回動ストッパー部材と、引出しの前後移動によって、押上げ部材を上下動させるとともに回動ストッパー部材を回動させる引出しに設けられた作動ピンと、施錠時には縦杆を上昇させて、押上げ部材のストッパー突部を作動ピンの前面に位置させ、解錠時にはストッパー突部を作動ピンの移動進路の下方に位置させるキャビネット天板に前端面を臨ませた錠前より構成されているものである。
【０００７】
次に、本発明が第２の手段として構成したところは、第１の手段としての構成に加え、
押上げ部材は、後方に向かって上方に傾斜する後部案内端面と、前方に向かって上方に傾斜する前部案内端面と、後部案内端面と前部案内端面間に連設された水平端面を下端面に有し、各端面に作動ピンが接触することにより押上げ部材が上下動し、回動ストッパー部材は、前後に所定間隔を有して上方に突出する前回動用突条と後回動用突条と、前回動用突条と後回動用突条との間に形成された上端が開口する作動ピン挿通溝を有し、引出しの一つが引き出された状態で、引き出された引出しに対応する回動ストッパー部材の後回動用突条の上端後端面が、上昇した押上げ部材の前部水平壁の下面に当接し、押上げ部材の下降を阻止しているものである。
【発明の効果】
【０００８】
第１の手段として構成したところによると、縦杆と、押上げ部材と、回動ストッパー部材と、作動ピンからインターロック装置は構成されているので、部品点数が少なく安価に製作出来、又、部品点数も少ないので、キャビネット本体への組み付けも容易である。
【０００９】
第２の手段として構成したところによると、第１の手段として構成したところの効果に加え、作動ピンの移動にともなって押上げ部材（縦杆）が上下動するので、作動ピンの位置に関係なく縦杆が急激に下降することがなく、衝突音も発生せず、作動の静かなインターロック装置を得る事が出来る。
【発明を実施するための最良の形態】
【００１０】
本発明は、複数段の引出しを有するキャビネット本体に上下動可能に保持された縦杆と、各引出しに対応して縦杆の所定高さ位置に取付けられた押上げ部材と、押上げ部材の所定寸法下方で各引出しに対応してキャビネット本体の所定高さ位置に取付けられ、縦杆の上昇位置を支持する回動ストッパー部材と、引出しの前後移動によって、押上げ部材を上下動させるとともに回動ストッパー部材を回動させる引出しに設けられた作動ピンと、施錠時には縦杆を上昇させて、押上げ部材のストッパー突部を作動ピンの前面に位置させ、解錠時にはストッパー突部を作動ピンの移動進路の下方に位置させるキャビネット天板に前端面を臨ませた錠前より構成され、押上げ部材は、後方に向かって上方に傾斜する後部案内端面と、前方に向かって上方に傾斜する前部案内端面と、後部案内端面と前部案内端面間に連設された水平端面を下端面に有し、各端面に作動ピンが接触することにより押上げ部材が上下動し、回動ストッパー部材は、前後に所定間隔を有して上方に突出する前回動用突条と後回動用突条と、前回動用突条と後回動用突条との間に形成された上端が開口する作動ピン挿通溝を有し、引出しの一つが引き出された状態で、引き出された引出しに対応する回動ストッパー部材の後回動用突条の上端後端面が、上昇した押上げ部材の前部水平壁の下面に当接し、押上げ部材の下降を阻止しているものである。
【実施例】
【００１１】
以下、添付図面に基づいて実施例を説明する。
図１〜図２において、符号１はキャビネット本体を示し、符号２は引出しを示している。
キャビネット本体１は上端部にキャビネット天板１１を有し、左右端部に側板１２、１２を有し、側板１２の内面前後端部に前補強材１３と後補強材（図示せず。）が配設され、引出し２は、正面板２１と、正面板２１の後方に連設された上向きコ字形の胴板２２より構成され、胴板２２の側面に設けられたレール（図示せず。）を介してキャビネット本体１内に上下方向で複数個出入自在に配設されている。
【００１２】
符号３は、前補強材１３の上下方向に沿った凹部１４内に嵌入された縦杆を示し、縦杆３は、前後壁３１、３２と側壁３３より横断面コ字形に形成され、後壁３２の上端部にキャビネット天板１１の裏面に装備したオールロック機構２３と連動するための引上げ孔３１０が形成され、側壁３３には引出し２の個数に対応して後記する押上げ部材４の連結孔３５・・・と嵌入孔３６・・・が形成され、前補強材１３と後補強材間に配設された引出し２・・・のレール受け材（図示せず。）によって、凹部１４内に嵌入された状態で、上下動可能に保持されている。
【００１３】
符号４・・・は、引出し２・・・に対応して縦杆３の所定高さ位置に取付けられた押上げ部材を示し、符号６・・・は、押上げ部材４・・・の所定寸法下方で引出し２・・・に対応して、前補強材１３の所定高さ位置に取付けられた回動ストッパー部材を示している。
符号２０は、引出し２の胴板２２の側面にとりつけられ、引出し２の前後移動によって、回動ストッパー部材６を回動させる作動ピンを示している。
【００１４】
押上げ部材４は、鋼鈑からなる取付基板４１と、取付基板４１に取付けられ、縦杆３の所定位置に連結される合成樹脂製の案内部材５より構成されている。
取付基板４１は、後部下端に引出し２側に突出し、引出し２がキャビネット本体１に収納された状態で、作動ピン２０の移動進路の下方やや前方に位置するストッパー突部４２と、案内部材５の後部を係止する係止孔４３と、案内部材５の前端部を嵌合保持する嵌合孔４４と、縦杆３との連結ネジ孔４５を有している。
【００１５】
案内部材５は、後方に向かって上方に傾斜する後部案内端面５１と、前方に向かって上方に傾斜する前部案内端面５２と、後部案内端面５１と前部案内端面５２間に連設された水平端面５３を下端面に有し、引出し２側に位置する表面板部５４と、表面板部５４の後部側裏面から取付基板４１側に突出し、取付基板４１の係止孔４３に係止する係止突壁５５と、表面板部５４の前端裏面から前方に突出し、取付基板４１の嵌合孔４４側に後方から嵌合する嵌合突起５６と、表面板部５４の下端部裏面側で水平端面５３の上方位置で取付基板４１側に突出し前方に向かって下方に傾斜する傾斜壁５７と、傾斜壁５７の後端から水平に後方に延設され、下方に回動ストッパー部材６の上部が収納される後部水平壁５８と、傾斜壁５７の前端から水平に前方に延設された前部水平壁５９を有している。
【００１６】
符号５４１、５４２、５４３は表面板部５４の上端及び後端及び前端部から取付基板４１側に突出する上端壁、後端壁、前端壁を示し、取付基板４１に取付けられた状態で、前端壁５４３、傾斜壁５７、後部水平壁５８、前部水平壁５９、後端壁５４２の端面は取付け基板４１に当接し、上端壁５４１は取付基板４１の上端面を閉塞する。
すなわち、取付基板４１を縦杆３の所定位置（連結孔３５の位置）に連結ネジ孔４５を挿通した連結ネジ４００にてネジ止めした後、取付基板４１の嵌合孔４４に後方から案内部材５の嵌合突起５６を嵌合させ、さらに、取付基板４１の係止孔４３に案内部材５の係止突壁５５係合させて、取付基板４１に案内部材５を取付ける。この時、係止突壁５５の先端部分は縦杆３の嵌入孔３６に嵌入する事により、押上げ部材４が連結ネジ４００（連結孔３５）を中心として回動するのを防止する。
このようにして、押上げ部材４・・・は縦杆３の所定の位置に引出し２の個数に対応して取付けられる。
【００１７】
回動ストッパー部材６は、押上げ部材４に対応する位置で、前補強材１３の内面に連結される回動保持片６１と、回動保持片６１に回動自在に保持される回動部材７より構成されている。
回動保持片６１は、連結孔６２、回転防止用の押しダボ６３が形成され、前補強材１３とネジ止めされる連結片６４と、回動部材７を回動自在に保持する保持孔６５が形成された保持片６６と、保持片６６の前端部で、連結片６４間に連設され、回動部材７に前方への回動を所定位置で阻止する前支持片６７と、保持片６６の後端部で前補強材１３側に突出し、回動部材７の後方への回動を所定位置で阻止する後支持片６８より形成されている。        
【００１８】
回動部材７は、前記回動保持片６１の保持孔６５に端部が回動可能に嵌合する回動軸７１と、回動軸７１より大径で、回動保持片６１及び前補強材１３側の端面が回動軸７１の端面より内側に位置する回動部７２と、回動部７２の外周上部で、前後に所定間隔を有して上端が開口する作動ピン挿通溝７３を有し、上方に突出する前回動用突条７４と後回動用突条７５と、前回動用突条７４と後回動用突条７５の前補強材１３側の端部間に連設された補強突壁７６より合成樹脂材にて一体に形成されている。
符号７１１は、回動軸７１の回動保持片６１側の端面に突出させた回動つまみ部を示している
回動ストッパー部材６は、上記の如く形成され、回動軸７１の保持片６６側の端部を保持孔６５に嵌合した状態で、回動軸７１の前補強材１３側の端部を、前補強材１３に形成された回動軸保持孔１３１に嵌入し、同時に連結片６４の連結孔６２と押しダボ６３を前補強材１３に形成された連結孔１３２、ダボ用孔１３３に一致させ取付ネジ７０にて、前記縦杆３に取付けられた押上げ部材４・・・に対応して前補強材１３の内面所定個所に連結される。
【００１９】
この状態で、各回動部材７の前回動用突条７４と後回動用突条７５は前方に傾斜した状態で、前回動用突条７４の上端前端面が前支持片６７に当接して回動部材７の回動は停止し、押上げ部材４の前部水平壁５９の下面に後回動用突条７５の上端後端面が当接するので、縦杆３は引出し２・・・をすべてキャビネット本体１に収納しないと下降しない。尚、引出し２を収納する時の回動ストッパー部材６、押上げ部材４の動きについては後記する。
【００２０】
引出し２・・・がすべて収納された状態（図１に示す状態。）、すなわち、回動部材７の前回動用突条７４と後回動用突条７５は後方に傾斜した状態で、後回動用突条７５の上端後端面が後支持片６８に当接して回動部材７の回動は停止し、さらに、縦杆３に取付けた押上げ部材４の案内部材５の後部水平壁５８の角部下面に前回動用突条７４の上部前端が当接するので、縦杆３は下降しない。
【００２１】
この状態から、何れか一つの引出し２を引き出すと、作動ピン２０は前方に移動し、押上げ部材４の後部案内端面５１の下面に接触し、後部案内端面５１は前下がりに傾斜しているので、押上げ部材４及び縦杆３を上方に移動させながら、作動ピン２０は、後部案内端面５１と水平端面５３の連設個所に達した状態で、回動部材７の作動ピン挿通溝７３内に位置し（図４の上部の引出し２の状態。）、さらに、作動ピン２０は前回動用突条７４の後面に接触して、水平端面５３の下面に接触しながら回動部材７を前方向に回動させ、水平端面５３の下面前端に達すると、作動ピン２０は作動ピン挿通溝７３を抜け出し、回動部材７の前回動用突条７４の前端面は前支持片６７に当接して、回動動作は停止し、前部水平壁５９の下面が、前方に傾斜した状態の後回動用突条７５の上端に当接し（図５の上部の引出し２の状態）、押上げ部材４および縦杆３は下降することがなく上昇位置を維持する。
【００２２】
すなわち、一つの引出し２を引き出す事により、縦杆３は上昇位置で維持され、したがって、他の引出し２・・・に対応して縦杆３に設けられた押上げ部材４・・・も上昇位置を維持し、押上げ部材４のストッパー突部４２が、作動ピン２０の前方を塞ぐ位置に上昇して停止しているので、一つの引出し２が引き出されると他の引出し２・・・を引き出す事が出来ない、いわゆる、インターロックされた状態となる。
【００２３】
次に、引き出された引出し２を収納していくと、作動ピン２０が押上げ部材４の前部案内端面５２に接触し（図５の上部の引出し２の状態）、前部案内端面５２は後方に向かって下方に傾斜しているので、作動ピン２０は押上げ部材４を若干押し上げ、回動部材７の作動ピン挿通溝７３内に位置し、水平端面５３の下面に接触しながら回動部材７を後方向に回動させ、作動ピン２０が水平端面５３の下面後端に達すると、回動部材７の後回動用突条７５の後端面は後支持片６８に当接して、回動部材７の後方向への回動は停止し、作動ピン２０は作動ピン挿通溝７３を抜け出し、後部案内端面５１の前端下面に接触し、さらに後方に移動すると、後部案内端面５１は後上がりに傾斜しているので、押上げ部材４及び縦杆３を下方に移動させながら後方に移動し、引出し２は収納される。（図１に示す状態。）
尚、すべての引出し２・・・がキャビネット本体１内に装着されていない状態から、引出し２を装着する時は、装着する一つの引出し２に対応する回動部材７の回動つまみ部７１１を操作して前方向に回動した状態（引出し２が引き出された状態）にし、（この時、他の回動部材７・・・は図６に示す状態にしておく。）引出し２を前述した回動部材７の動きによって順次一つづつ装着・収納する。
【００２４】
一方、キャビネット本体１に収納されたすべての引出し２・・・・（図１に示す状態。）を一度に施錠する、いわゆるオールロック機構２３は、キャビネット天板１１の前端面中央部に前端面を臨ませた錠前２３１と、前後天板補強材１１１、１１２に前後端部が回動自在に支持され、錠前２３１の施錠操作および開錠操作に伴って回動する回動舌片２３２に前端が連結されて回動し、前後方向中央部分に屈曲部２３３を有する作動杆２３４と、前端部が上下方向に揺動可能に左右端部側の後端部が後天板補強材１１２に支持され、左右端部に前方に突出し、縦杆３の引上げ孔３１０に前端部が嵌入する嵌入突片２３５、２３５を有し、キャビネット天板１１の裏面の左右方向全幅に渡って配設された施錠用横杆２３６より構成され、施錠用横杆２３６の前端部に前記作動杆２３４の屈曲部２３３が嵌入し、錠前２３１の施錠操作によって回動した作動杆２３４の屈曲部２３３が施錠用横杆２３６の前端部を上方に持ち上げ、同時に、嵌入突片２３５、２３５が引上げ孔３１０に嵌入して縦杆３、３を上方に引上げることにより、押上げ部材４・・・のストッパー突部４２・・・は作動ピン２０・・・の前面に位置し、作動ピン２０・・・の前方移動は阻止され（引出し２・・・の引き出しは阻止され）、オールロック状態となる。（図６に示す状態。）
【図面の簡単な説明】
【００２５】
【図１】すべての引出しが収納された状態の一部切欠縦断側面図
【図２】図１のＡ−Ａ線断面図
【図３】本発明の要部分解斜視図
【図４】一つの引出しの引き出し途中の一部切欠縦断側面図
【図５】一つの引出しの収納途中の一部切欠縦断側面図
【図６】オールロック状態の一部切欠縦断側面図
【符号の説明】
【００２６】
１                キャビネット本体
１１              キャビネット天板
２                引出し
２０              作動ピン
３                縦杆
４                押上げ部材
５                案内部材
５１              後部案内端面
５２              水平案内端面
５９              前部水平壁
６                回動ストッパー部材
【図１】
2006097296.tif 000003
【図２】
2006097296.tif 000004
【図３】
2006097296.tif 000005
【図４】
2006097296.tif 000006
【図５】
2006097296.tif 000007
【図６】
2006097296.tif 000008